(57)【要約】【課題】  プロジェクタ等の光源装置において、消費電力の低下や、再点灯時間の短縮を図る。【解決手段】  ＬＥＤ２２ｒ、２２ｇ、２２ｂを円周上に配置し、ＬＥＤの点灯に合わせて回転ロッド２３を回転させるようにした回転光学系２１を用いる。記憶部２にルックアップテーブルを設け、ルックアップテーブルに通常モードとスリープモードとの移行情報とモータの回転数の情報を格納しておく。通常のモードのときには、入力画像信号の垂直同期信号に同期した所望の回転数でモータ２４を回転させると共に、ＬＥＤ２２ｒ、２２ｇ、２２ｂを順次点灯させる。スリープモードのときには、モータ２４を通常モードより少なくとも低い回転数で回転させたまま、ＬＥＤ２２ｒ、２２ｇ、２２ｂを消灯させる。スリープモードのときにモータ２４が回転しているので、通常モード移行時にモータ２４の回転数を直ちに所望の回転速度にすることができる。【選択図】        図１
2006330176.tif 000002
【特許請求の範囲】
【請求項１】
円周上に配置された複数の光源と、
前記複数の光源に対し相対的に回転し、前記複数の光源の中で対応する位置にある光源が射出した照明光を取り込む光学手段と、
前記光源手段および／または前記複数の光源とを相対的に回転させるモータと、
第１のモードと第２のモードとに設定するモード設定手段と、
前記第１のモードと前記第２のモードとに応じて前記モータの回転数を制御するモータ制御手段と、
前記第１のモードと前記第２のモードとに応じて前記光源の点灯状態を制御する光源制御手段とを具え、
前記光源を点灯させる際には前記第１のモードに設定し、前記光源を消灯させる際には前記第２のモードに設定するようにしたことを特徴とする光源装置。
【請求項２】
前記モータ制御手段が前記第２のモードのときに、前記モータの回転数を前記第１のモードのときの前記モータの回転数より低速に制御することを特徴とする請求項１に記載の光源装置。
【請求項３】
前記モータ制御手段が前記第２のモードのときに、前記モータの回転数を時間経過と共に減少させるよう制御することを特徴とする請求項２に記載の光源装置。
【請求項４】
前記モータ制御手段が前記第２のモードのときに、前記第１のモードでの回転数より低い回転数で前記モータを所定時間回転させた後、前記モータを停止させるように制御することを特徴とする請求項１に記載の光源装置。
【請求項５】
前記モータ制御手段が前記第２のモードのときに、前記第１のモードでの回転数と等しい回転数で前記モータを所定時間回転させた後、前記モータを停止させるように制御することを特徴とする請求項１に記載の光源装置。
【請求項６】
前記モータ制御手段が前記第２のモードのときに、前記第１のモードでの回転数と等しい回転数で前記モータを所定時間回転させた後、前記第１のモードでの回転数より低速で前記モータを回転させるよう制御することを特徴とする請求項１に記載の光源装置。
【請求項７】
前記モード設定手段は、入力信号の有無を検出し、入力信号が無しの状態から入力信号が有る状態を検知したときに、前記第２のモードから前記第１のモードに切り替えることを特徴とする請求項１に記載の光源装置。
【請求項８】
前記モード設定手段は、前記第１のモードに関する情報と、前記第２のモードに関する情報が蓄積されたルックアップテーブルを有し、
前記ルックアップテーブルに入力される検知情報及び移行条件に基づいて、前記第１のモード又は前記第２のモードに設定することを特徴とする請求項１に記載の光源装置。
【請求項９】
複数種類の前記ルックアップテーブルを記憶した記憶手段と、
光源装置に求められる省電力量に応じて前記記憶手段から１つのルックアップテーブルを選択する選択手段とを更に有し、
この選択されたルックアップテーブルに応じて制御を行うことを特徴とする請求項８に記載の光源装置。
【発明の詳細な説明】
【技術分野】
【０００１】
本発明は、投射面に画像を表示するプロジェクタに用いられる光源装置に関するものであって、特に、ＬＥＤ(Light Emitting Diode)を円周上に配置し、ＬＥＤの点灯に合わせて光学系のロッドをＬＥＤに対して相対的に回転させる回転光学系を用いた光源装置に関する。
【背景技術】
【０００２】
近年、小型のプロジェクタでは、画像データに応じてマトリクス状に配列された各画素の微小ミラーをＰＷＭ(Pulse Width Modulation)駆動によりオン状態とオフ状態の角度に高速に切り替えて照明光を変調するＤＭＤ（Digital Micromirror Device）素子のような空間光変調素子が使われ始めている。
【０００３】
このような空間光変調素子では、従来の液晶表示素子と異なり、高速動作が可能であるため、Ｒ（赤）、Ｇ（緑）、Ｂ（青）の画像を面順次方式で表示することができる。また、液晶表示素子を用いたプロジェクタでは、カラー画像を表示するのに３枚のＬＣＤ(Liquid Crystal Display)素子が必要であるのに対し、空間光変調素子を用いたプロジェクタでは、１つのＤＭＤ素子でカラー表示を行うことができる。
【０００４】
このような空間光変調素子を用いたプロジェクタでは、従来、光源として白色光のランプが用いられている。すなわち、従来の空間光変調素子を用いたプロジェクタでは、入力画像を面順次の画像信号に変換して空間光変調素子に供給し、ＲＧＢに塗り分けられたカラーホイールを入力画像の垂直同期信号に同期させて回転させ、ランプからの光をカラーホイールを介して空間光変調素子に照射するようにしている。しかしながら、プロジェクタの光源としてランプを用いると、消費電力が大きくなると共に、カラーホイールが必要となる。
【０００５】
これに対して、近年、このようなプロジェクタの光源として、ＬＥＤを用いることが検討されている。ＬＥＤは、ランプに比べて、小型、高耐性、長寿命、低消費電力などの利点がある。また、ＲＧＢの３色のＬＥＤを用いれば、カラーホイールは不要となり、しかも、優れた色特性が得られる。更に、空間光変調素子を用いた場合には、液晶表示素子のような偏光依存性が無いため、ＬＥＤなどの無偏光の光を発生する光源に対して、損失の少ない光学系が簡単に構成できる。
【０００６】
しかしながら、ＬＥＤを直流駆動した場合には、ＬＥＤに流せる電流には限界がある。そこで、例えば特許文献１に示されるように、複数のＬＥＤが円周上に配置された回転光学系を用いることが提案されている。
【０００７】
このような回転光学系では、ＲＧＢの複数のＬＥＤが円周上に配置され、この複数のＬＥＤに沿って回転する光学系のロッドが設けられる。複数のＬＥＤが順次パルス駆動され、複数のＬＥＤが順次パルス点灯される。そして、ＬＥＤの点灯に合わせて光学系のロッドが回転され、点灯中のＬＥＤの光が集められて、空間光変調素子に向けて照射される。
【０００８】
ＬＥＤを直流駆動した場合には流せる電流に限界があるが、回転光学系を用いた場合には、上述のように、ＬＥＤはパルス駆動となる。このため、ＬＥＤに大電流を流すことができ、強い発光が得られる。そして、このような回転光学系を用いると、光学系のロッドにより、点灯中のＬＥＤの光が集められるので、ＬＥＤを連続点灯させたのと等価になる。
【特許文献１】特開２００３−３４６５０３号公報
【発明の開示】
【発明が解決しようとする課題】
【０００９】
しかしながら、上述のような回転光学系を用いた場合には、光学系のロッドの回転を、入力画像の垂直同期信号に同期した所望の回転数で回転させる必要がある。このため、従来のこのようなプロジェクタでは、画像を即時に表示させることが難しいという問題がある。
【００１０】
つまり、入力画像を表示させる際には、先ず、停止状態にあるモータを起動させ、モータの回転数を上昇させる。そして、光学系の回転ロッドの回転を検出し、入力画像信号の垂直同期信号と光学系の回転ロッドの検出信号とを比較し、モータを入力画像の垂直同期信号に同期した所望の回転数まで上昇させる。モータが入力画像の垂直同期信号に同期した所望の回転数に達したら、ＬＥＤを所望のタイミングで順次点灯させて、画像の表示を行う。したがって、入力画像を表示させる際には、少なくとも、モータが入力画像の垂直同期信号に同期した所望の回転数に達するまでの待ち時間が必要となる。
【００１１】
一方、ＬＥＤの特徴のひとつに、即時点灯性がある。すなわち、ＬＥＤを使ったプロジェクタの特徴は、即時に点灯し、画像を表示できるという利点がある。ところが、上述のように、回転光学系を用いると、入力画像を表示させる際には、少なくとも、モータが入力画像の垂直同期信号に同期した所望の回転数に達するまでの待ち時間が必要となり、ＬＥＤの特徴である即時点灯性の利点が失われてしまうことになる。
【００１２】
そこで、本発明は、上述の課題を鑑み、画像を即座に表示できると共に、消費電力の低減が図れるようにした光源装置を提供することを目的とする。
【課題を解決するための手段】
【００１３】
上述の課題を解決するために、請求項１の発明に係る光源装置は、円周上に配置された複数の光源と、前記複数の光源に対し相対的に回転し、前記複数の光源の中で対応する位置にある光源が射出した照明光を取り込む光学手段と、前記光源手段および／または前記複数の光源とを相対的に回転させるモータと、第１のモードと第２のモードとに設定するモード設定手段と、前記第１のモードと前記第２のモードとに応じて前記モータの回転数を制御するモータ制御手段と、前記第１のモードと前記第２のモードとに応じて前記光源の点灯状態を制御する光源制御手段とを具え、前記光源を点灯させる際には前記第１のモードに設定し、前記光源を消灯させる際には前記第２のモードに設定するようにしたことを特徴とする。
【００１４】
請求項２の発明に係る光源装置では、前記モータ制御手段が前記第２のモードのときに、前記モータの回転数を前記第１のモードのときの前記モータの回転数より低速に制御することを特徴とする。
【００１５】
請求項３の発明に係る光源装置では、前記モータ制御手段が前記第２のモードのときに、前記モータの回転数を時間経過と共に減少させるよう制御することを特徴とする。
【００１６】
請求項４の発明に係る光源装置では、前記モータ制御手段が前記第２のモードのときに、前記第１のモードでの回転数より低い回転数で前記モータを所定時間回転させた後、前記モータを停止させるように制御することを特徴とする。
【００１７】
請求項５の発明に係る光源装置では、前記モータ制御手段が前記第２のモードのときに、前記第１のモードでの回転数と等しい回転数で前記モータを所定時間回転させた後、前記モータを停止させるように制御することを特徴とする。
【００１８】
請求項６の発明に係る光源装置では、前記モータ制御手段が前記第２のモードのときに、前記第１のモードでの回転数と等しい回転数で前記モータを所定時間回転させた後、前記第１のモードでの回転数より低速で前記モータを回転させるよう制御することを特徴とする。
【００１９】
請求項７の発明に係る光源装置では、前記モード設定手段は、入力信号の有無を検出し、入力信号が無しの状態から入力信号が有る状態を検知したときに、前記第２のモードから前記第１のモードに切り替えることを特徴とする。
【００２０】
請求項８の発明に係る光源装置では、前記モード設定手段は、前記第１のモードに関する情報と、前記第２のモードに関する情報が蓄積されたルックアップテーブルを有し、前記ルックアップテーブルに入力される検知情報及び移行条件に基づいて、前記第１のモード又は前記第２のモードに設定することを特徴とする。
【００２１】
請求項９の発明に係る光源装置では、複数種類の前記ルックアップテーブルを記憶した記憶手段と、光源装置に求められる省電力量に応じて前記記憶手段から１つのルックアップテーブルを選択する選択手段とを更に有し、この選択されたルックアップテーブルに応じて制御を行うことを特徴とする。
【発明の効果】
【００２２】
本発明によれば、第１のモード（通常モード）と第２のモード（スリープモード）が設定でき、第１のモードに設定されているときには、所望の回転数で回転光学系を回転させるモータが回転されると共に、光源が所望のタイミングで順次点灯される。第２のモードに設定されているときには、モータを回転させたまま、光源が消灯される。
【００２３】
このように、本発明によれば、第２のモードに設定されているときにも、モータが回転し続けているので、通常モードに移行すると、直ちに、通常モードのときの回転数まで、モータの回転数を上げて、画像を表示させることができる。また、第２のモードのときにモータを回転させることによって、その状態における機体移動時のジャイロ効果による違和感とモータ軸にかかる負荷が低減され、またモータを通常回転数で回し続けた状態よりも電力消費量を抑えるといった効果が実現できる。
【００２４】
また、第２のモードでは、光源を消灯させると共に、通常モードのときよりもモータの回転数を下げることで、消費電力の低下を図ることができる。更に、第２のモードでは、所定時間経過したらモータの回転数を徐々に下げることで、更に消費電力の低下が図れる。更に、第２のモードでは、所定時間経過したらモータの回転数を停止させることで、更に消費電力の低下を図れる。
【００２５】
このように、本発明によれば、回転光学系を用いたプロジェクタにおいて、光源が消灯しているときの電力消費を抑え、かつ短時間で再点灯することが可能である。
【発明を実施するための最良の形態】
【００２６】
以下、本発明の実施の形態について図面を参照しながら説明する。図１は、本発明が適用されたプロジェクタの構成を示すものである。図１において、制御部１はＣＰＵ(Central Processing Unit)等からなり、プロジェクタの全体の動作を制御している。制御部１に対して、記憶部２、外部情報入力部３、時間監視部４、内部情報出力部５が設けられる。本発明が適用されたプロジェクタでは、通常モードとスリープモードとが設定できる。通常モードとスリープモードの設定は、制御部１により行われる。
【００２７】
記憶部２には、ルックアップテーブルが設けられる。ルックアップテーブルは、検知情報を入力とし、直前の状態を移行条件とし、移行モードとモータの回転数を出力するようなテーブルである。
【００２８】
外部情報入力部３は、オペレータ操作情報等、外部からの非同期情報を検知して制御部１に通知するもので、外部情報入力部３としては、各種設定を行うための操作パネルやリモコン等が含まれる。外部情報入力部３によりオペレータ操作により与えられる検知情報としては、電源投入情報、スリープモードへのモード遷移を指示するスリープモード指示情報、通常モードへのモード遷移を指示する通常モード指示情報等がある。
【００２９】
時間監視部４は、制御部１の指示により監視タイマーを起動し、指示された時間が経過したら、制御部１へ通知するものである。この時間監視部４により、スリープモードに設定されてからの経過時間が計測される。これにより、タイムアップ情報が得られる。
【００３０】
内部情報出力部５は、制御部１の指示により装置内部の状態をＬＥＤインジケータなどを使用して、外部に通知するものである。外部に通知する情報としては、現在の機器の制御モードは通常モードかスリープモードかを示すモード設定情報等がある。
【００３１】
本発明が適用されたプロジェクタでは、図２に示すように、複数のＲ色のＬＥＤ２２ｒ、複数のＧ色のＬＥＤ２２ｇ、複数のＢ色のＬＥＤ２２ｂが円周上に配列された回転光学系２１が用いられる。これら円周上に配置された複数のＬＥＤ２２ｒ、２２ｇ、２２ｂに対して、回転ロッド２３が設けられる。回転ロッド２３は、モータ２４（図１）により回転される。円周上に配列された複数のＬＥＤ２２ｒ、２２ｇ、２２ｂが光源となり、複数のＬＥＤ２２ｒ、２２ｇ、２２ｂが順次点灯されると共に、回転ロッド２３が回転され、回転ロッド２３の位置と対応する位置にあるＬＥＤ２２ｒ、２２ｇ、２２ｂから射出された照明光が回転ロッド２３により取り込まれる。
【００３２】
図１において、本発明が適用されたプロジェクタでは、制御部１からの指令により、通常モードのときには、モータ２４は、入力画像信号の垂直同期信号と同期して、所望の速度で回転される。また、通常モードのときには、回転光学系２１に配置されたＬＥＤ２２ｒ、２２ｇ、２２ｂに、所定のタイミングで駆動電流が流される。スリープモードのときには、記憶部２のルックアップテーブルの情報に基づいてモータ２４が回転される。そして、ＬＥＤ２２ｒ、２２ｇ、２２ｂは消灯される。
【００３３】
また、本発明が適用されたプロジェクタでは、電源制御部７により、制御部１からの電源設定指令により、機器全体の電源のオン／オフを制御することができる。
【００３４】
通常モードのときには、図１において、入力端子１１に、画像信号が供給される。入力端子１１からの画像信号は、ＤＭＤ駆動制御部１２に送られる。ＤＭＤ駆動制御部１２は、種々の入力画像信号に対して、その入力画像信号の形態に応じて、同期分離、ＹＣ分離、ＩＰ変換、解像度変換、色変換、台形補正等の映像信号処理を行う。ここで、ＹＣ分離は、輝度信号とクロマ信号とを分離する処理である。ＩＰ変換は、インターレース走査からプログレシブ走査への変換である。そして、ＤＭＤ駆動制御部１２は、色ずれ防止のために入力画像信号のフィールド周波数の変換処理を行い、更に、入力画像信号に基づくＲＧＢの面順次の画像信号を形成する。この面順次の画像信号は、ＤＭＤ駆動信号として、ＤＭＤ素子１５に供給される。
【００３５】
また、ＤＭＤ駆動制御部１２と制御部１とは双方向に接続されており、ＤＭＤ駆動制御部１２から制御部１には、入力画像信号の有無、画サイズや画像フォーマット等の入力画像検知情報が送られる。
【００３６】
ＤＭＤ素子１５は、その表面に多数の微小なミラーを配置し、その角度を画素毎に変えられる空間光変調素子である。ＤＭＤ駆動制御部１２からのＤＭＤ駆動信号がＤＭＤ素子１５に与えられると、ＤＭＤ素子１５の表面の微少なミラーの角度が変えられ、これにより光の進路が変えられ、画素単位で光のオン／オフが行われる。
【００３７】
また、ＤＭＤ駆動制御部１２で分離された垂直同期信号ＶＤは、タイミング生成部１６に供給される。タイミング生成部１６で、入力映像信号の垂直同期信号に基づいて、ＬＥＤの駆動パルスが生成される。このＬＥＤの駆動パルスがＬＥＤ駆動部１７に供給される。ＬＥＤ駆動部１７により、回転光学系２１に配置されたＬＥＤ２２ｒ、２２ｇ、２２ｂに順次駆動電流が流される。これにより、入力映像信号の垂直同期信号に基づいて、ＬＥＤ２２ｒ、２２ｇ、２２ｂが順次点灯される。
【００３８】
タイミング生成部１６で、モータ駆動信号が生成される。このモータ駆動信号がモータ駆動部２０に供給される。これにより、モータ２４が回転し、回転ロッド２３が回転される。
【００３９】
回転ロッド２３の回転は、回転センサ２５により検出される。この回転センサ２５からの回転検出信号は、タイミング生成部１６に供給される。タイミング生成部１６で、回転センサ２５からの回転検出信号と、入力映像信号の垂直同期信号とが比較され、この比較信号に基づいて、モータ駆動信号が生成される。これにより、入力映像信号の垂直同期信号に同期して、所望の回転数となるように、モータ２４の回転が制御される。
【００４０】
モータ２４が回転することにより、回転ロッド２３の入射端２３ａが円周上に配置された複数のＬＥＤ２２ｒ、２２ｇ、２２ｂ上に沿って回転する。回転ロッド２３の回転により、複数のＬＥＤ２２ｒ、２２ｇ、２２ｂのうち、回転ロッド２３の入射端２３ａの位置と対応する位置にあるものの光が選択されて取り込まれ、その光が回転ロッド２３の出射端２３ｂから導出される。
【００４１】
回転ロッド２３からの光は、光束形状変換素子２７に入射される。光束形状変換素子２７の出射端から出射された光は、照明レンズ２８ａ、２８ｂ、ミラー２９、フィールドレンズ３０よる照明光学系を経て、ＤＭＤ素子１５の微小ミラーが形成された面に照射される。
【００４２】
ＤＭＤ素子１５の表面の微少ミラーの角度は、ＤＭＤ駆動信号により変えられ、光の進路が変えられる。このため、ＤＭＤ素子１５の反射光は、ＤＭＤ駆動制御部１２からのＤＭＤ駆動信号により画素単位で変調される。このＤＭＤ駆動信号により変調を受けた光は、投射光として、投射レンズ３１を介して拡大され、投射面３２に投射される。これにより、投射面３２には、画像が映し出される。
【００４３】
図３〜図７は、記憶部２のルックアップテーブルの構成例を示すものである。図３〜図７に示すように、ルックアップテーブルには、検知情報を入力とし、直前の制御モードの状態を移行条件とし、移行モードとモータ回転数を出力とするようなテーブルが設けられている。ここで、検知情報は、外部情報入力部３へのオペレータ操作情報から得られる電源投入情報及びモード指示情報（スリープモード指示情報、通常モード指示情報）と、ＤＭＤ駆動制御部１２から得られる入力画像検知情報と、時間監視部４から得られるタイムアップ情報等である。
【００４４】
図３のような構成のルックアップテーブルを用いると、以下のような制御が行われることになる。
【００４５】
（１−１）電源投入
電源投入時には、ＬＵＴ番号「１」から、移行モードは通常モードであると判断される。通常モードでは、ＬＥＤ２２ｒ、２２ｇ、２２ｂは所望のタイミングで点灯される。そして、モータ２４は、入力画像信号の垂直同期信号に同期して、例えば３６００ｒｐｍで回転される。
【００４６】
（１−２）スリープモード移行指示
オペレータより、外部情報入力部３からスリープモード指示情報が入力され、スリープモードへの移行が指示されると、直前の状態が通常モードならば、ＬＵＴ番号「２」から、移行モードはスリープモードであると判断される。スリープモードでは、ＬＥＤ２２ｒ、２２ｇ、２２ｂは消灯される。そして、モータ２４は、例えば１２００ｒｐｍで回転される。また、スリープモードに移行するときに、時間監視部４の監視タイマーをスタートさせる。
【００４７】
（１−３）通常モード移行指示
オペレータより、外部情報入力部３から通常モード指示情報が入力され、通常モードへの移行が指示されると、直前の状態がスリープモードなら、ＬＵＴ番号「３」から、移行モードは通常モードであると判断される。通常モードでは、ＬＥＤ２２ｒ、２２ｇ、２２ｂは所望のタイミングで点灯される。そして、モータ２４は、入力画像信号の垂直同期信号に同期して、例えば３６００ｒｐｍで回転される。
【００４８】
（１−４）画像入力信号消失
ＤＭＤ駆動制御部１２から得られる入力画像検知情報から、画像入力信号が消失したときには、直前の状態が通常モードで画像入力信号有りの状態ならば、ＬＵＴ番号「４」から、移行モードはスリープモードであると判断される。スリープモードでは、ＬＥＤ２２ｒ、２２ｇ、２２ｂは消灯される。そして、モータ２４は、例えば１２００ｒｐｍで回転される。また、スリープモードに移行するときに、時間監視部４の監視タイマーをスタートさせる。
【００４９】
（１−５）画像入力信号検知
ＤＭＤ駆動制御部１２から得られる入力画像検知情報から、画像入力信号を検知したときには、直前の状態がスリープモードで画像入力信号無しの状態ならば、ＬＵＴ番号「５」から、移行モードは通常モードであると判断される。通常モードでは、ＬＥＤ２２ｒ、２２ｇ、２２ｂは所望のタイミングで点灯される。そして、モータ２４は、入力画像信号の垂直同期信号に同期して、例えば３６００ｒｐｍで回転される。
【００５０】
（１−６）入力信号無し状態が一定時間経過
スリープモードに移行するときに、時間監視部４の監視タイマーがスタートされる。この監視タイマーのタイムアップが検知されたときには、直前の状態がスリープモードで画像入力信号無しの状態ならば、ＬＵＴ番号「６」から、モータ２４の回転が停止（０ｒｐｍ）される。
【００５１】
図４のような構成のルックアップテーブルを用いると、以下のような制御が行われることになる。
【００５２】
（２−１）電源投入
電源投入時には、ＬＵＴ番号「１」から、移行モードは通常モードであると判断される。通常モードでは、ＬＥＤ２２ｒ、２２ｇ、２２ｂは所望のタイミングで点灯される。そして、モータ２４は、入力画像信号の垂直同期信号に同期して、例えば、３６００ｒｐｍで回転される。
【００５３】
（２−２）スリープモード移行指示
オペレータより、外部情報入力部３からスリープモード指示情報が入力され、スリープモードへの移行が指示されると、直前の状態が通常モードならば、ＬＵＴ番号「２」から、移行モードはスリープモードであると判断される。スリープモードでは、ＬＥＤ２２ｒ、２２ｇ、２２ｂは消灯される。そして、モータ２４は、例えば、１２００ｒｐｍで回転される。また、スリープモードに移行するときに、時間監視部４の監視タイマーをスタートさせる。
【００５４】
（２−３）通常モード移行指示
オペレータより、外部情報入力部３から通常モード指示情報が入力され、通常モードへの移行が指示されると、直前の状態がスリープモードならば、ＬＵＴ番号「３」から、移行モードは通常モードであると判断される。通常モードでは、ＬＥＤ２２ｒ、２２ｇ、２２ｂは所望のタイミングで点灯される。そして、モータ２４は、入力画像信号の垂直同期信号に同期して、例えば、３６００ｒｐｍで回転される。
【００５５】
（２−４）スリープモードが一定時間経過
時間監視部４の監視タイマーからタイムアップを検知したとき、直前の状態がスリープモードならば、ＬＵＴ番号「４」から、モータ２４を停止（０ｒｐｍ）させる。
【００５６】
図５のようなルックアップテーブルを用いると、以下のような制御が行われることになる。
【００５７】
（３−１）電源投入時
電源投入時には、ＬＵＴ番号「１」から、移行モードは通常モードであると判断される。通常モードでは、ＬＥＤ２２ｒ、２２ｇ、２２ｂは所望のタイミングで点灯される。そして、モータ２４は、入力画像信号の垂直同期信号に同期して、例えば、３６００ｒｐｍで回転される。
【００５８】
（３−２）スリープモード移行指示
オペレータより、外部情報入力部３からスリープモード指示情報が入力され、スリープモードへの移行が指示されると、直前の状態が通常モードならば、ＬＵＴ番号「２」から、移行モードはスリープモードであると判断される。スリープモードでは、ＬＥＤ２２ｒ、２２ｇ、２２ｂは消灯される。そして、モータ２４は、例えば、３６００ｒｐｍで回転される（回転数の変化は無い）。また、スリープモードに移行するときに、時間監視部４の監視タイマーをスタートさせる。
【００５９】
（３−３）通常モード移行指示
オペレータより、外部情報入力部３から通常モード指示情報が入力され、通常モードへの移行が指示されると、直前の状態がスリープモードならば、ＬＵＴ番号「３」から、移行モードは通常モードであると判断される。通常モードでは、ＬＥＤ２２ｒ、２２ｇ、２２ｂは所望のタイミングで点灯される。そして、モータ２４は、入力画像信号の垂直同期信号に同期して、例えば、３６００ｒｐｍで回転される（回転数の変化は無い）。
【００６０】
（３−４）スリープモードが一定時間経過
時間監視部４の監視タイマーからタイムアップを検知したとき、直前の状態がスリープモードならば、ＬＵＴ番号「４」から、モータ２４を停止（０ｒｐｍ）させる。
【００６１】
図６のような構成のルックアップテーブルを用いると、以下のような制御が行われることになる。
【００６２】
（４−１）電源投入時
電源投入時には、ＬＵＴ番号「１」から、移行モードは通常モードであると判断される。通常モードでは、ＬＥＤ２２ｒ、２２ｇ、２２ｂは所望のタイミングで点灯される。そして、モータ２４は、入力画像信号の垂直同期信号に同期して、例えば、３６００ｒｐｍで回転される。
【００６３】
（４−２）スリープモード移行指示
オペレータより、外部情報入力部３からスリープモード指示情報が入力され、スリープモードへの移行が指示されると、直前の状態が通常モードならば、ＬＵＴ番号「２」から、移行モードはスリープモードであると判断される。スリープモードでは、ＬＥＤ２２ｒ、２２ｇ、２２ｂは消灯される。そして、モータ２４は、例えば、３６００ｒｐｍで回転される（回転数の変化は無い）。また、スリープモードに移行するときに、時間監視部４の監視タイマーをスタートさせる。
【００６４】
（４−３）通常モード移行指示
オペレータより、外部情報入力部３から通常モード指示情報が入力され、通常モードへの移行が指示されると、直前の状態がスリープモードならば、ＬＵＴ番号「３」から、移行モードは通常モードであると判断される。通常モードでは、ＬＥＤ２２ｒ、２２ｇ、２２ｂは所望のタイミングで点灯される。そして、モータ２４は、入力画像信号の垂直同期信号に同期して、例えば、３６００ｒｐｍで回転される（回転数の変化は無い）。
【００６５】
（４−４）スリープモードが一定時間経過
時間監視部４の監視タイマーからタイムアップを検知したとき、直前の状態がスリープモードならば、ＬＵＴ番号「４」から、モータ２４を１２００ｒｐｍで回転される。
【００６６】
図７のような構成のルックアップテーブルを用いると、以下のような制御が行われることになる。
【００６７】
（５−１）電源投入時
電源投入時には、ＬＵＴ番号「１」から、移行モードは通常モードであると判断される。通常モードでは、ＬＥＤ２２ｒ、２２ｇ、２２ｂは所望のタイミングで点灯される。そして、モータ２４は、入力画像信号の垂直同期信号に同期して、例えば、３６００ｒｐｍで回転される。
【００６８】
（５−２）スリープモード移行指示
オペレータより、外部情報入力部３からスリープモード指示情報が入力され、スリープモードへの移行が指示されると、直前の状態が通常モードならば、ＬＵＴ番号「２」から、移行モードはスリープモードであると判断される。スリープモードでは、ＬＥＤ２２ｒ、２２ｇ、２２ｂは消灯される。そして、モータ２４は、例えば、１２００ｒｐｍで回転される。また、スリープモードに移行するときに、時間監視部４の監視タイマーをスタートさせる。
【００６９】
（５−３）通常モード移行指示
オペレータより、外部情報入力部３から通常モード指示情報が入力され、通常モードへの移行が指示されると、直前の状態がスリープモードならば、ＬＵＴ番号「３」から、移行モードは通常モードであると判断される。通常モードでは、ＬＥＤ２２ｒ、２２ｇ、２２ｂは所望のタイミングで点灯される。そして、モータ２４は、入力画像信号の垂直同期信号に同期して、例えば、３６００ｒｐｍで回転される。
【００７０】
（５−４）スリープモードが一定時間経過
時間監視部４の監視タイマーからタイムアップを検知し、直前の状態がスリープモードのとき、監視タイマーをスタートさせる。そして、直前のモータ回転数が１２００ｒｐｍならばＬＵＴ番号「４」から、モータ２４は８００ｒｐｍで回転される。
【００７１】
直前のモータ回転数が８００ｒｐｍならばＬＵＴ番号「５」から、モータ２４は４００ｒｐｍで回転される。
【００７２】
直前のモータ回転数が４００ｒｐｍならばＬＵＴ番号「６」から、モータ２４は停止（０ｒｐｍ）される。
【００７３】
図３〜図７に示すような構成のルックアップテーブルのうち、どのようなものを使用するかにより、制御モードによる回転数とその制御タイミングを変更することができる。
【００７４】
ここで、予め設定したいくつかのルックアップテーブルを、オペレータの指示により任意に指定できるようにしてもよく、或いは、ルックアップテーブルで定義している回転数を任意に変更できるようにしてもよい。
【００７５】
図８〜図１０は、本発明が適用されたプロジェクタにおけるモード及びモータ制御の一例を示すフローチャートである。図８において、電源が投入されると（ステップＳ１）、制御部１は、機器に搭載されている各デバイスの初期化を行う(ステップＳ２)。そして、電源投入時のモータ制御と光源点灯制御を行う(ステップＳ３)。
【００７６】
電源投入時には、図３〜図７に示すルックアップテーブルから、通常モードに設定されることになる。このときには、ステップＳ３のモータ制御と光源点灯制御として、図９に示すような処理が行われることになる。
【００７７】
図９において、電源投入時に、ルックアップテーブルから通常モードであると判断されたら（ステップＳ１１）、ルックアップテーブルから取得された回転数で、モータ２４を回転させる（ステップＳ１２）。回転センサ２５からの回転検出信号からモータ２４の回転数を取得し（ステップＳ１３）、モータ２４が所望の回転数に達しているかどうかを判断する（ステップＳ１４）。モータ２４が入力画像信号の垂直同期信号に同期した所望の回転数に達したら、所望のタイミングで、ＬＥＤ２２ｒ、２２ｇ、２２ｂを順次点灯させる（ステップＳ１５）。そして、制御モードステータスを通常モードに設定する（ステップＳ１６）。
【００７８】
図８において、ステップＳ３で、図９に示したような処理により、電源投入時のモータ制御と光源点灯制御が行われたら、検知情報及び時間監視部４の監視カウンターを監視し、これらの検知情報が変化したか或いはタイムアップが生じたかどうかを判断する(ステップＳ４)。
【００７９】
ここで、検知情報が変化せず、且つ、タイムアップが生じていなければ、それまで設定されている制御モードに保持し、設定された制御モードに応じてモータ制御と光源点灯制御を続ける。検知情報が変化したか或いはタイムアップが生じたら、移行する制御モードに応じて、モータ制御と光源点灯制御を行う(ステップＳ５)。
【００８０】
図１０は、ステップＳ５のモータ制御と光源点灯制御の詳細を示すフローチャートである。図１０において、ルックアップテーブルから、検知情報に対応した、モード移行条件と、移行した場合の制御モードと、モータの回転数を取得する（ステップＳ２１）。
【００８１】
そして、直前の機器状態がルックアップテーブルより取得したモード移行条件を満たしているかを判定する(ステップＳ２２）。直前の機器状態がモード移行条件を満たしていなければ、当該処理を抜け、再び図８で示した外部情報を監視する処理（ステップＳ４）に戻る。
【００８２】
直前の機器状態がモード移行条件を満たしているときには、ルックアップテーブルから取得した移行モードとモータ回転数が、直前の機器状態から変化があるかどうかを判断する（ステップＳ２３）。ステップＳ２３で、制御モードとモータ回転数の変化が無い場合には、状態変化しないものとみなし、当該処理を抜け、再び図８で示した外部情報を監視する処理（ステップＳ４）に戻る。
【００８３】
ステップＳ２３で、制御モード又はモータ回転数に変化ある場合には、通常モードに移行するのかどうか判断し（ステップＳ２４）、通常モードに移行するのでなければ、スリープモードに移行するのかどうかを判断する（ステップＳ２５）。
【００８４】
ステップＳ２４で、通常モードに移行する場合には、時間監視部４に対し監視タイマーをストップするよう指示を行う(ステップＳ２６）。そして、タイミング生成部１６に対しルックアップテーブルより取得したモータ回転数で駆動するように指示を行う（ステップＳ２７）。そして、回転センサ２５からの回転検出信号からモータ２４の回転数を取得し（ステップＳ２８）、モータ２４が所望の回転数に達しているかどうかを判断する（ステップＳ２９）。モータ２４が入力画像信号の垂直同期信号に同期した所望の回転数に達したら、所望のタイミングで、ＬＥＤ２２ｒ、２２ｇ、２２ｂを順次点灯させる（ステップＳ３０）。最後に、当該処理実行直前の制御モードステータスを、取得した制御モードに変更してから(ステップＳ３１）、再び図８で示した外部情報を監視する処理（ステップＳ４）に戻る。
【００８５】
ステップＳ２５で、スリープモードに移行する場合には、時間監視部４に対して監視タイマーをスタートさせるよう指示を行う(ステップＳ３２）。そして、ＬＥＤ２２ｒ、２２ｇ、２２ｂを消灯させ（ステップＳ３３）、ルックアップテーブルから取得された回転数で、モータ２４を回転させる（ステップＳ３４）。最後に、制御モードステータスを、変更した制御モードに設定してから（ステップＳ３１）、再び図８で示した外部情報を監視する処理（ステップＳ４）に戻る。
【００８６】
以上説明したように、本発明の実施形態では、検知情報を入力とし、直前の状態を移行条件とし、移行モードとモータ回転数を出力するルックアップテーブルが設けられる。そして、このルックアップテーブルを使って、通常モードとスリープモードが設定され、各モード毎に、ＬＥＤ２２ｒ、２２ｇ、２２ｂの点灯／消灯が設定され、モータ２４の回転数が設定される。
【００８７】
すなわち、通常のモードに設定されているときには、入力画像信号の垂直同期信号に同期した所望の回転数でモータ２４が回転されると共に、ＬＥＤ２２ｒ、２２ｇ、２２ｂが所望のタイミングで順次点灯される。スリープモードに設定されているときには、モータ２４が回転したまま、ＬＥＤ２２ｒ、２２ｇ、２２ｂが消灯される。
【００８８】
このように、本発明の実施形態では、スリープモードのときにも、モータ２４が回転しているので、通常モードに移行すると、直ちに、通常モードのときの回転数まで、モータ２４の回転数を上げて、ＬＥＤ２２ｒ、２２ｇ、２２ｂを順次点灯させて、画像を表示させることができる。また、スリープモードのときにモータ２４を回転させることによって、その状態における機体移動時のジャイロ効果による違和感とモータ軸にかかる負荷が低減され、またモータを通常回転数で回し続けた状態よりも電力消費量を抑えるといった効果が実現できる。
【００８９】
そして、図３に示したルックアップテーブルを用いた場合には、スリープモードでは、モータ２４の回転数が通常モードのときの回転数より下げられ、消費電力の低減が図られる。また、スリープモードに設定して所定時間経過後には、モータ２４の回転が停止され、更に、消費電力の低減が図られる。また、入力画像信号の有無が検知され、入力画像信号が有る状態から入力画像信号が無い状態に変化すると、スリープモードに設定される。
【００９０】
図４に示したルックアップテーブルを用いた場合には、スリープモードでは、モータ２４の回転数が通常モードのときの回転数より下げられ、消費電力の低減が図られる。そして、スリープモードに設定して所定時間経過後には、モータ２４の回転が停止され、更に、消費電力の低減が図られる。
【００９１】
図５に示したルックアップテーブルを用いた場合には、スリープモードでは、通常モードのときと同じ回転数でモータ２４が回転される。そして、スリープモードに設定して所定時間経過後には、モータ２４の回転が停止され、消費電力の低減が図られる。
【００９２】
図６に示したルックアップテーブルを用いた場合には、スリープモードでは、通常モードのときと同じ回転数でモータ２４が回転される。そして、スリープモードに設定して所定時間経過後には、モータ２４の回転数が下げられ、消費電力の低減が図られる。
【００９３】
図７に示したルックアップテーブルを用いた場合には、スリープモードでは、モータ２４の回転数が通常モードのときの回転数より下げられ、消費電力の低減が図られる。更に、スリープモードに設定すると、時間の経過と共に、モータ２４の回転数が下げられ、更に、消費電力の低減が図られる。最終的には、スリープモードに設定すると、所定時間経過後には、モータ２４の回転が停止され、更に、消費電力の低減が図られる。
【００９４】
以上説明したように図３〜図７に示したルックアップテーブルを用いることによって消費電力の低減が図れるが、図６よりも図５、図５よりも図７、図７よりも図３や図４の方が、より消費電力低減の効果が大きい。よって、制御に用いるルックアップテーブルを記憶部２から選択する際、プロジェクタに要求される省電力の度合いに応じてルックアップテーブルを選択しても良い。例えば、バッテリによって電源が供給されるプロジェクタであるならば、検知したバッテリ残量に応じてルックアップテーブルを切り替えても良い。すなわち、バッテリ残量が多い場合には、図６に示したルックアップテーブルを用い、残量が減るに従い、図５、図７、図３や図４というように切り替えていっても良い。あるいは、外部情報入力部３にオペレータが操作できる省電力モード設定スイッチを配置し、プロジェクタに求められる省電力量に応じてオペレータがルックアップテーブルの切り替えを行っても良い。
【００９５】
図１１は、本発明が適用されたプロジェクタにおけるモード及びモータ制御の他の例を示すフローチャートである。この実施形態では、スリープモードに入ってからの時間がインジケータにより示されると共に、スリープモードに入って、モータ２４が停止していたら、電源をオフする機能が付加される。
【００９６】
図１１において、電源が投入されると、外部情報入力部３からの電源投入情報が制御部１に送られる（ステップＳ５１）。制御部１は、電源が投入されると、機器に搭載されている各デバイスの初期化を行う(ステップＳ５２)。そして、モータ制御と光源点灯制御を行う(ステップＳ５３)。
【００９７】
電源投入時には、図３〜図７に示すルックアップテーブルから、通常モードに設定されることになる。このときには、図９に示したような処理が行われることになる。
【００９８】
ステップＳ５３で、図９に示したような処理により、設定された制御モードに応じてモータの制御と光源点灯制御が行われたら、検知情報及び時間監視部４の監視カウンターを監視し、これらの検知情報が変化したか或いはタイムアップが生じたかどうかを判断する(ステップＳ５４)。
【００９９】
ここで、検知情報が変化せず、且つ、タイムアップが生じていなければ、それまで設定されている制御モードに保持し、設定された制御モードに応じてモータ制御と光源点灯制御を続ける。検知情報が変化したか或いはタイムアップが生じたら、移行する制御モードに応じて、モータ制御と光源点灯制御を行う(ステップＳ５５)。ステップＳ５５のモータ制御と光源点灯制御は、図１０に示した処理と同様である。
【０１００】
そして、スリープモードかどうかを判断し（ステップＳ５６）、スリープモードでなければ、外部情報を監視する処理（ステップＳ５４）に戻り、スリープモードであれば、内部情報出力部５に対して、スリープモードの経過時間に対応した情報を出力する（ステップＳ５７）。例えば、内部情報出力部５としてＬＥＤインジケータを用いた場合には、スリープモードに入ったら、このＬＥＤインジケータを点滅させ、スリープモードの経過時間に対応して、ＬＥＤインジケータの点滅周期を速めていく。そして、モータ２４が停止しているかどうかを判断し（ステップＳ５８）、モータ２４が停止していなければ、外部情報を監視する処理（ステップＳ５４）に戻り、モータ２４が停止していたら、電源をオフする（ステップＳ５９）。
【０１０１】
このように、この例では、スリープモードに入って、モータ２４が停止していたら、電源をオフする機能が付加される。このように、最終的に電源をオフする機能を付加することで、装置を使用しない状態が長時間継続する場合や、電源を切り忘れた場合などに、無駄な電力消費を抑えることができる。そして、内部情報出力部５に対して、スリープモードの経過時間に対応した情報を出力することで、電源がオフされるまでの残時間をオペレータに視覚的に知らせることができる。
【０１０２】
本発明は、上述した実施形態に限定されるものではなく、本発明の要旨を逸脱しない範囲内で様々な変形や応用が可能である。
【産業上の利用可能性】
【０１０３】
本発明は、ＬＥＤを円周上に配置し、ＬＥＤの点灯に合わせて光学系のロッドを回転させるようにした回転光学系を用いた光源装置において、消費電力の低下や、再点灯時間の短縮を図るのに用いることができる。
【図面の簡単な説明】
【０１０４】
【図１】本発明が適用されたプロジェクタの構成を示すブロック図である。
【図２】本発明が適用されたプロジェクタにおける回転光学系の説明図である。
【図３】ルックアップテーブルの第１の例の説明図である。
【図４】ルックアップテーブルの第２の例説明図である。
【図５】ルックアップテーブルの第３の例の説明図である。
【図６】ルックアップテーブルの第４の例説明図である。
【図７】本発明が適用されたプロジェクタにおけるモード及びモータ制御の一例の説明に用いるフローチャートである。
【図８】本発明が適用されたプロジェクタにおけるモード及びモータ制御の一例の説明に用いるフローチャートである。
【図９】本発明が適用されたプロジェクタにおけるモード及びモータ制御の一例の説明に用いるフローチャートである。
【図１０】本発明が適用されたプロジェクタにおけるモード及びモータ制御の一例の説明に用いるフローチャートである。
【図１１】本発明が適用されたプロジェクタにおけるモード及びモータ制御の他の例の説明に用いるフローチャートである。
【符号の説明】
【０１０５】
１：制御部、
２：記憶部、
３：外部情報入力部
４：時間監視部、
５：内部情報出力部、
１２：ＤＭＤ駆動制御部、
１５：ＤＭＤ素子、
１６：タイミング生成部、
１７：ＬＥＤ駆動部、
２０：モータ駆動部、
２１：回転光学系、
２２ｒ、２２ｇ、２２ｂ：ＬＥＤ
２３：回転ロッド、
２４：モータ、
２５：回転センサ、
３１：投射レンズ、
３２：投射面
【図１】
2006330176.tif 000003
【図２】
2006330176.tif 000004
【図３】
2006330176.tif 000005
【図４】
2006330176.tif 000006
【図５】
2006330176.tif 000007
【図６】
2006330176.tif 000008
【図７】
2006330176.tif 000009
【図８】
2006330176.tif 000010
【図９】
2006330176.tif 000011
【図１０】
2006330176.tif 000012
【図１１】
2006330176.tif 000013